(57)【要約】【課題】予め設定されていない位置を検査する場合の利便性を向上すること。【解決手段】検査支援装置は、構造物の検査を支援する検査支援装置であって、構造物の二次元図面を表す図面データを取得する図面データ取得部と、ＧＩＳ表示機能を有し、図面データに基づいて二次元図面を表示する表示部と、操作を受け付ける操作受付部と、操作受付部が表示部に表示された二次元図面上の任意の位置を指定する操作を受け付けたことに応じて、二次元図面上の指定された指定位置に対応する座標を示す座標情報と、検査結果を含む指定位置の属性を示す属性情報と、が互いに関連付けられた指定位置の地図情報データであって、ＧＩＳ表示機能による表示に用いられる地図情報データを生成するデータ生成部と、を備える。【選択図】図５
2020074167.tif 000002
【特許請求の範囲】
【請求項１】
構造物の検査を支援する検査支援装置であって、
前記構造物の二次元図面を表す図面データを取得する図面データ取得部と、
ＧＩＳ表示機能を有し、前記図面データに基づいて前記二次元図面を表示する表示部と、
操作を受け付ける操作受付部と、
前記操作受付部が前記表示部に表示された前記二次元図面上の任意の位置を指定する前記操作を受け付けたことに応じて、前記二次元図面上の指定された指定位置に対応する座標を示す座標情報と、検査結果を含む前記指定位置の属性を示す属性情報と、が互いに関連付けられた前記指定位置の地図情報データであって、ＧＩＳ表示機能による表示に用いられる地図情報データを生成するデータ生成部と、を備える、検査支援装置。
【請求項２】
請求項１に記載の検査支援装置であって、
前記データ生成部は、前記操作受付部が前記属性を指定する前記操作を受け付けたことに応じて、前記属性を示す前記属性情報を取得する、検査支援装置。
【請求項３】
請求項１または請求項２に記載の検査支援装置であって、
前記表示部は、前記地図情報データに基づいて、少なくとも１つの前記属性を、前記二次元図面上の前記指定位置に表示する、検査支援装置。
【請求項４】
請求項３に記載の検査支援装置であって、
前記属性は、アイコンを含み、
前記表示部は、前記地図情報データに基づいて、前記アイコンを、前記二次元図面上の前記指定位置に表示する、検査支援装置。
【請求項５】
請求項４に記載の検査支援装置であって、
前記表示部は、前記操作受付部が前記アイコンを選択する前記操作を受け付けたことに応じて、前記アイコンが表示される前記指定位置に対応する前記属性としての前記検査結果を表示する、検査支援装置。
【請求項６】
請求項４または請求項５に記載の検査支援装置であって、
前記属性は、複数種類の前記アイコンを含み、
前記地図情報データは、前記二次元図面上の前記指定位置に対応する前記座標に、特定の種類の前記アイコンを関連付けることが可能なデータであり、
前記表示部は、前記操作受付部が前記検査結果を指定する前記操作を受け付けたことに応じて、前記二次元図面上の前記指定位置に表示される前記アイコンの種類を切り替える、検査支援装置。
【請求項７】
請求項６に記載の検査支援装置であって、
前記複数種類の前記アイコンは、互いに表示色の異なる複数の前記アイコンを含み、
前記表示部は、前記操作受付部が前記検査結果を指定する前記操作を受け付けたことに応じて、前記二次元図面上の前記指定位置に表示される前記アイコンの表示色を切り替える、検査支援装置。
【請求項８】
請求項１から請求項７までのいずれか一項に記載の検査支援装置であって、さらに、
撮影することにより画像を表す画像データを生成する撮影部を備え、
前記図面データ取得部は、前記撮影部が前記二次元図面を表示するものを撮影することにより生成された前記画像データを、前記図面データとして取得する、検査支援装置。
【請求項９】
請求項１から請求項８までのいずれか一項に記載の検査支援装置であって、さらに、
前記属性としての前記検査結果を含む前記指定位置の検査帳票を表す検査帳票データを作成する検査帳票作成部を備える、検査支援装置。
【請求項１０】
請求項９に記載の検査支援装置であって、さらに、
撮影により画像を表す画像データを生成する撮影部を備え、
前記検査帳票には、前記撮影部が前記指定位置に位置する被写体を撮影することにより生成された前記属性としての前記画像が含まれる、検査支援装置。
【請求項１１】
請求項９または請求項１０に記載の検査支援装置であって、さらに、
前記二次元図面の表示画像を取得する表示画像取得部と、
前記表示画像に第１の付加画像を追加する第１付加画像追加部と、を備え、
前記検査帳票には、前記表示画像取得部により取得された前記二次元図面の前記指定位置を含む前記表示画像であって、前記第１付加画像追加部により前記指定位置に対応する領域に前記第１の付加画像が追加された前記表示画像が含まれる、検査支援装置。
【請求項１２】
請求項１から請求項１１までのいずれか一項に記載の検査支援装置であって、
前記属性は、画像を含み、
前記地図情報データは、前記二次元図面上の前記指定位置に対応する前記座標に、前記属性としての複数の前記画像を関連付けることが可能なデータである、検査支援装置。
【請求項１３】
請求項１から請求項１２までのいずれか一項に記載の検査支援装置であって、
前記属性情報は、画像と前記画像に対応するサムネイル画像とを含む複数種類の属性を示す情報であり、
前記表示部は、
前記図面データに基づいて前記二次元図面を表示するとともに、前記地図情報データに基づいて前記属性を表示し、
前記二次元図面と、前記指定位置における他の種類の前記属性と、の少なくとも一方とともに、前記サムネイル画像を表示する、検査支援装置。
【請求項１４】
請求項１３に記載の検査支援装置であって、
前記表示部は、前記操作受付部が前記表示部に表示された前記サムネイル画像を選択する前記操作を受け付けたことに応じて、前記サムネイル画像に対応する前記画像を表示する、検査支援装置。
【請求項１５】
請求項１３または請求項１４に記載の検査支援装置であって、さらに、
前記表示部に表示された前記画像に第２の付加画像を追加する第２付加画像追加部を備え、
前記表示部は、前記画像への前記第２の付加画像の追加に応じて、前記第２の付加画像が追加された後の前記画像を表示する、検査支援装置。
【請求項１６】
構造物の検査を支援する検査システムであって、
検査支援装置と、
データ表示装置と、を備え、
前記検査支援装置は、
前記構造物の二次元図面を表す図面データを取得する図面データ取得部と、
ＧＩＳ表示機能を有し、前記図面データに基づいて前記二次元図面を表示する表示部と、
操作を受け付ける操作受付部と、
前記操作受付部が前記表示部に表示された前記二次元図面上の任意の位置を指定する前記操作を受け付けたことに応じて、前記二次元図面上の指定された指定位置に対応する座標を示す座標情報と、検査結果を含む前記指定位置の属性を示す属性情報と、が互いに関連付けられた前記指定位置の地図情報データであって、ＧＩＳ表示機能による表示に用いられる地図情報データを生成するデータ生成部と、
前記図面データと前記地図情報データとを前記データ表示装置に送信する端末通信部を有し、
前記データ表示装置は、
前記検査支援装置から送信される前記図面データと前記地図情報データとを受信する本体通信部と、
ＧＩＳ表示機能を有し、前記図面データに基づいて前記二次元図面を表示するとともに、前記地図情報データに基づいて、少なくとも１つの前記属性を、前記二次元図面上の前記指定位置に表示する本体表示部と、を有する、検査システム。
【請求項１７】
請求項１６に記載の検査システムであって、
複数の前記検査支援装置を備え、
前記本体通信部は、各前記検査支援装置から前記地図情報データを受信する、検査システム。
【請求項１８】
請求項１６または請求項１７に記載の検査システムであって、
前記データ表示装置は、さらに、
前記属性としての前記検査結果を含む前記指定位置の検査帳票を表す検査帳票データを作成する検査帳票作成部を備える、検査システム。
【発明の詳細な説明】
【技術分野】
【０００１】
本明細書に開示される技術は、検査支援装置に関する。
【背景技術】
【０００２】
建築物や土木構造物等の構造物の検査に利用される検査支援装置が知られている。このような検査支援装置は、データ生成装置から検査に関するデータを取得する。データ生成装置は、構造物の検査位置を設定し、検査位置の情報と、各検査位置における検査項目や参照情報などの検査内容の情報とを含むデータを生成する。検査支援装置は、データ生成装置から取得したデータに基づいて、表示部に各検査位置における検査内容を表示する。検査者は、検査支援装置の表示部に表示される検査内容を参照しながら、データ生成装置により予め設定された各検査位置の検査を行う（例えば特許文献１参照）。
【先行技術文献】
【特許文献】
【０００３】
【特許文献１】特開２００９−２１７６９４号公報
【発明の概要】
【発明が解決しようとする課題】
【０００４】
従来の装置は、予め設定された位置の検査のみに使用可能である。そのため、予め設定された位置以外の検査に使用することができない問題がある。また、仕上げ検査等のように、予め検査する位置を設定することができない種類の検査に使用することができない問題がある。そのため、例えば、従来の装置を用いて予め設定されていない位置を検査しようとすると、従来の装置では検査する位置がデータ生成装置により設定され、検査支援装置では設定することができないため、データ生成装置による設定を待つ必要があり、利便性の点で向上の余地がある。
【０００５】
本明細書では、上述した課題の少なくとも一部を解決することが可能な技術を開示する。
【課題を解決するための手段】
【０００６】
本明細書に開示される技術は、例えば、以下の形態として実現することが可能である。
【０００７】
（１）本明細書に開示される検査支援装置は、構造物の検査を支援する検査支援装置であって、前記構造物の二次元図面を表す図面データを取得する図面データ取得部と、前記図面データに基づいて前記二次元図面を表示する表示部と、操作を受け付ける操作受付部と、前記操作受付部が前記表示部に表示された前記二次元図面上の任意の位置を指定する前記操作を受け付けたことに応じて、前記二次元図面上の指定された指定位置に対応する座標を示す座標情報と、検査結果を含む前記指定位置の属性を示す属性情報と、が互いに関連付けられた前記指定位置の地図情報データを生成するデータ生成部と、を備える。本検査支援装置によれば、データ生成部は、操作受付部が、表示部に表示された構造物の二次元図面上の任意の位置を指定する操作を受け付けたことに応じて、指定された指定位置の地図情報データを生成する。地図情報データでは、指定位置に対応する座標に属性が関連付けられており、属性は検査結果を含む。そのため、検査者は、任意の位置で検査を行い、指定位置に対応する座標を示す座標情報と、検査結果を含む属性情報とが関連付けられた地図情報データを、検査支援装置により生成することができる。これにより、検査者は、データ生成装置による検査位置や検査結果の設定を待つことなく検査を行うことができ、利便性を向上させることができる。
【０００８】
（２）上記検査支援装置において、前記データ生成部は、前記操作受付部が前記属性を指定する前記操作を受け付けたことに応じて、前記属性を示す前記属性情報を取得する構成としてもよい。本検査支援装置によれば、データ生成部は、検査結果などの属性を、操作受付部を介して取得して、地図情報データを生成することができる。
【０００９】
（３）上記検査支援装置において、前記表示部は、前記地図情報データに基づいて、少なくとも１つの前記属性を、前記二次元図面上の前記指定位置に表示する構成としてもよい。本検査支援装置によれば、表示部は、図面データに基づいて二次元図面を表示するとともに、地図情報データに基づいて属性を表示する。そのため、属性のみを表示させたいときは、地図情報データに基づいて属性のみを表示させることができる。また、構造物の二次元図面のみを表示させたいときは、図面データに基づいて構造物の二次元図面のみを表示させることができる。また、属性と構造物の二次元図面の両方を表示させたいときは、地図情報データおよび図面データに基づいて属性と構造物の二次元図面の両方を表示させることができる。これにより、表示部に属性や構造物の二次元図面を表示するときの利便性を向上させることができる。また、属性は、構造物の二次元図面上の指定位置に対応する座標に関連付けられており、表示部に表示される属性は、二次元図面上の指定位置に表示される。そのため、二次元図面上のどの位置に属性が関連付けられているかを容易に把握することができる。
【００１０】
（４）上記検査支援装置において、前記属性は、アイコンを含み、前記表示部は、前記地図情報データに基づいて、前記アイコンを、前記二次元図面上の前記指定位置に表示する構成としてもよい。本検査支援装置によれば、ユーザは、アイコンにより二次元図面上の指定位置を容易に確認することができる。
【００１１】
（５）上記検査支援装置において、前記表示部は、前記操作受付部が前記アイコンを選択する前記操作を受け付けたことに応じて、前記アイコンが表示される前記指定位置に対応する前記属性としての前記検査結果を表示する構成としてもよい。本検査支援装置によれば、ユーザは、アイコンを選択することで、指定位置における検査結果を確認することができる。
【００１２】
（６）上記検査支援装置において、前記属性は、複数種類の前記アイコンを含み、前記地図情報データは、前記二次元図面上の前記指定位置に対応する前記座標に、特定の種類の前記アイコンを関連付けることが可能なデータであり、前記表示部は、前記操作受付部が前記検査結果を指定する前記操作を受け付けたことに応じて、前記二次元図面上の前記指定位置に表示される前記アイコンの種類を切り替える構成としてもよい。本検査支援装置によれば、ユーザは、表示部に表示されるアイコンの種類により、アイコンを選択して検査結果を表示することなく、指定位置における検査結果を確認することができ、利便性を向上させることができる。
【００１３】
（７）上記検査支援装置において、前記複数種類の前記アイコンは、互いに表示色の異なる複数の前記アイコンを含み、前記表示部は、前記操作受付部が前記検査結果を指定する前記操作を受け付けたことに応じて、前記二次元図面上の前記指定位置に表示される前記アイコンの表示色を切り替える構成としてもよい。本検査支援装置によれば、ユーザは、表示部に表示されるアイコンの表示色により、アイコンを選択して検査結果を表示することなく、指定位置における検査結果を確認することができ、利便性を向上させることができる。
【００１４】
（８）上記検査支援装置において、さらに、撮影することにより画像を表す画像データを生成する撮影部を備え、前記図面データ取得部は、前記撮影部が前記二次元図面を表示するものを撮影することにより生成された前記画像データを、前記図面データとして取得する構成としてもよい。本検査支援装置によれば、例えば構造物の設計データを持っていても、それを印刷したものに、メモや色分け等をしたものをベースに検査したい場合に、メモや色分け等をしたものを撮影することにより図面データを取得することができ、利便性を向上させることができる。
【００１５】
（９）上記検査支援装置において、さらに、前記属性としての前記検査結果を含む前記指定位置の検査帳票を表す検査帳票データを作成する検査帳票作成部を備える構成としてもよい。本検査支援装置によれば、検査帳票作成部により指定位置の検査帳票を示す検査帳票情報が作成されるので、ユーザは、自ら検査帳票情報を作成する必要がなく、利便性を向上させることができる。
【００１６】
（１０）上記検査支援装置において、さらに、撮影により画像を表す画像データを生成する撮影部を備え、前記検査帳票には、前記撮影部が前記指定位置に位置する被写体を撮影することにより生成された前記属性としての前記画像が含まれる構成としてもよい。本検査支援装置によれば、ユーザは、検査帳票を確認することで、検査結果とともに、指定位置に位置する被写体の画像を確認することができる。
【００１７】
（１１）上記検査支援装置において、さらに、前記二次元図面の表示画像を取得する表示画像取得部と、前記表示画像に第１の付加画像を追加する第１付加画像追加部と、を備え、前記検査帳票には、前記表示画像取得部により取得された前記二次元図面の前記指定位置を含む前記表示画像であって、前記第１付加画像追加部により前記指定位置に対応する領域に前記第１の付加画像が追加された前記表示画像が含まれる構成としてもよい。本検査支援装置によれば、ユーザは、検査帳票を確認することで、検査結果とともに、二次元図面上の指定位置を確認することができる。特に、検査帳票に含まれる表示画像には、第２付加画像追加部により第２の付加画像が追加されているので、第２の付加画像が追加されていない場合に比べて、二次元図面上の指定位置を容易に確認することができる。
【００１８】
（１２）上記検査支援装置において、前記属性は、画像を含み、前記地図情報データは、前記二次元図面上の前記指定位置に対応する前記座標に、前記属性としての複数の前記画像を関連付けることが可能なデータである構成としてもよい。本検査支援装置によれば、指定位置に関連付けて、例えば是正工事前後の画像や、同じ被写体を異なる角度から撮影した複数の画像等を保持することができる。
【００１９】
（１３）上記検査支援装置において、前記属性情報は、画像と前記画像に対応するサムネイル画像とを含む複数種類の属性を示す情報であり、前記表示部は、前記図面データに基づいて前記二次元図面を表示するとともに、前記地図情報データに基づいて前記属性を表示し、前記二次元図面と、前記指定位置における他の種類の前記属性と、の少なくとも一方とともに、前記サムネイル画像を表示する構成としてもよい。本検査支援装置によれば、ユーザは、表示部に表示されるサムネイル画像により、指定位置に対応する座標に関連付けられた画像を確認することができる。また、サムネイル画像は、二次元図面や指定位置における他の種類の属性とともに表示部に表示されるので、二次元図面や指定位置における他の種類の属性と、指定位置に対応する座標に関連付けられた画像とが対応するものであるか否かを確認することができる。
【００２０】
（１４）上記検査支援装置において、前記表示部は、前記操作受付部が前記表示部に表示された前記サムネイル画像を選択する前記操作を受け付けたことに応じて、前記サムネイル画像に対応する前記画像を表示する構成としてもよい。本検査支援装置によれば、ユーザは、表示部に表示されるサムネイル画像を選択する操作を行うことで、サムネイル画像に対応する画像を詳細に確認することができる。
【００２１】
（１５）上記検査支援装置において、さらに、前記表示部に表示された前記画像に第２の付加画像を追加する第２付加画像追加部を備え、前記表示部は、前記画像への前記第２の付加画像の追加に応じて、前記第２の付加画像が追加された後の前記画像を表示する構成としてもよい。本検査支援装置によれば、ユーザは、第１付加画像追加部を用いて第１の付加画像を追加することで、第１の付加画像を追加しない場合に比べて、画像に含まれる特定の内容を容易に他人に伝達することができる。
【００２２】
（１６）本明細書に開示される検査システムは、構造物の検査を支援する検査システムであって、検査支援装置と、データ表示装置と、を備え、前記検査支援装置は、前記構造物の二次元図面を表す図面データを取得する図面データ取得部と、前記図面データに基づいて前記二次元図面を表示する表示部と、操作を受け付ける操作受付部と、前記操作受付部が前記表示部に表示された前記二次元図面上の任意の位置を指定する前記操作を受け付けたことに応じて、前記二次元図面上の指定された指定位置に対応する座標を示す座標情報と、検査結果を含む前記指定位置の属性を示す属性情報と、が互いに関連付けられた前記指定位置の地図情報データを生成するデータ生成部と、前記図面データと前記地図情報データとを前記データ表示装置に送信する端末通信部を有し、前記データ表示装置は、前記検査支援装置から送信される前記図面データと前記地図情報データとを受信する本体通信部と、前記図面データに基づいて前記二次元図面を表示するとともに、前記地図情報データに基づいて、少なくとも１つの前記属性を、前記二次元図面上の前記指定位置に表示する本体表示部と、を有する。本検査システムによれば、データ生成部は、操作受付部が、表示部に表示された構造物の二次元図面上の任意の位置を指定する操作を受け付けたことに応じて、指定された指定位置の地図情報データを生成する。地図情報データでは、指定位置に対応する座標に属性が関連付けられており、属性は検査結果を含む。そのため、検査者は、任意の位置で検査を行い、指定位置に対応する座標を示す座標情報と、検査結果を含む属性情報とが関連付けられた地図情報データを、検査支援装置により生成することができる。これにより、検査者は、データ生成装置による検査位置や検査結果の設定を待つことなく検査を行うことができ、利便性を向上させることができる。また本検査システムによれば、データ生成装置は、構造物の二次元図面と指定位置における属性とを表示する本体表示部を有するので、ユーザは、本体表示部に表示される属性の位置により、検査支援装置で指定された指定位置を確認することができる。
【００２３】
（１７）上記検査システムにおいて、複数の前記検査支援装置を備え、前記本体通信部は、各前記検査支援装置から前記地図情報データを受信する構成としてもよい。本検査システムによれば、ユーザは、本体表示部に表示される属性の位置により、複数の検査支援装置でそれぞれ指定された指定位置をまとめて確認することができ、利便性を向上させることができる。
【００２４】
（１８）上記検査システムにおいて、前記データ表示装置は、さらに、前記属性としての前記検査結果を含む前記指定位置の検査帳票を表す検査帳票データを作成する検査帳票作成部を備える構成としてもよい。本検査システムによれば、検査帳票作成部により指定位置の検査帳票を示す検査帳票情報が作成されるので、ユーザは、自ら検査帳票情報を作成する必要がなく、利便性を向上させることができる。
【００２５】
なお、本明細書に開示される技術は、種々の形態で実現することが可能であり、例えば、検査支援方法、それらの方法または装置の機能を実現するためのコンピュータプログラム、そのコンピュータプログラムを記録した一時的でない記録媒体等の形態で実現することが可能である。
【図面の簡単な説明】
【００２６】
【図１】検査システム１０の構成を示すブロック図である。
【図２】検査システム用データＤ１００のファイル構造を示す説明図である。
【図３】指定位置に検査位置が設定される前の図面３０を表示する図面表示画面ＨＦの一例を示す説明図である。
【図４】不備の検出時における検査画面ＨＳの一例を示す説明図である。
【図５】指定位置に検査位置が設定された後の図面３０を表示する図面表示画面ＨＦの一例を示す説明図である。
【図６】指摘画像ＰＨ１の画像データを取得した後の検査画面ＨＳの一例を示す説明図である。
【図７】指摘画像ＰＨ１の表示画面の一例を示す説明図である。
【図８】再検査が実施された後の検査画面ＨＳの一例を示す説明図である。
【図９】指定位置の再検査が実施された後の図面３０を表示する図面表示画面ＨＦの一例を示す説明図である。
【図１０】検査帳票ＣＨの一例を示す説明図である。
【図１１】表示部１５０に図面３０を表示する図面表示画面ＨＦの一例を示す説明図である。
【発明を実施するための形態】
【００２７】
Ａ．実施形態：
Ａ−１．検査システム１０の構成：
図１は、本実施形態における検査システム１０の構成を示すブロック図である。検査システム１０は、建築物や土木構造物等の構造物の検査を支援するためのものであり、データ生成装置１００と、複数の検査支援装置２００と、検査システム用データ保管サーバ４００と、を備える。各装置やサーバは、ネットワークＮＷを介して互いに接続されている。データ生成装置１００は、例えばパーソナルコンピュータ等である。検査支援装置２００は、例えばタブレット型端末やスマートフォン等である。検査システム１０は、図面表示システムの一例である。図１には、３つの検査支援装置２００が示されているが、検査システム１０に含まれる検査支援装置２００の数は、２つまたは４つ以上でもよい。データ生成装置１００は、データ表示装置の一例である。
【００２８】
データ生成装置１００は、構造物の検査を管理する装置であり、制御部１１０と、記憶部１２０と、通信部１３０と、操作部１４０と、表示部１５０とを備える。記憶部１２０は、例えばハードディスクドライブ（以下、「ＨＤＤ」という）やＲＯＭ、ＲＡＭ等により構成されており、データ生成装置１００を制御するための各種プログラム、例えば、後述する検査システム用データＤ１００（図２参照）を生成するためのプログラムを記憶する。通信部１３０は、無線通信方式または有線通信方式により、外部装置と通信を行うインターフェースである。操作部１４０は、例えばキーボードやマウス等により構成され、ユーザの操作を受け付ける。表示部１５０は、例えば液晶ディスプレイ等により構成される。制御部１１０は、例えば中央制御ユニット（以下、「ＣＰＵ」という）等により構成されており、記憶部１２０から読み出したプログラムに従って、データ生成装置１００の各部を制御する。制御部１１０は、検査帳票作成部の一例であり、通信部１３０は、本体通信部の一例であり、表示部１５０または制御部１１０と表示部１５０との組み合わせは、本体表示部の一例である。
【００２９】
検査支援装置２００は、構造物の検査を支援する装置であり、具体的には、検査を実施する検査者が操作する作業端末である。検査支援装置２００は、制御部２１０と、記憶部２２０と、通信部２３０と、表示部２４０と、撮影部２５０と、地磁気センサ２６０と、ＧＰＳ受信部２７０とを備える。記憶部２２０は、例えばＨＤＤやＲＯＭ、ＲＡＭ等により構成されており、検査支援装置２００を制御するための各種プログラムを記憶する。通信部２３０は、無線通信方式または有線通信方式により、外部装置と通信を行うインターフェースである。表示部２４０は、例えば液晶ディスプレイ等により構成され、図面等を表示する。本実施形態では、表示部２４０は、タッチパネルを有し、ユーザによる操作を受け付ける操作受付部としても機能する。撮影部２５０は、撮影により画像を表す画像データを生成するカメラである。地磁気センサ２６０は、撮影部２５０の向きを特定する情報を取得するセンサである。ＧＰＳ受信部２７０は、上空にある衛星２０が送信する信号を受信することにより、自己の現在位置を特定する情報（緯度、経度および高度）を取得する装置である。制御部２１０は、例えばＣＰＵ等により構成されており、記憶部２２０から読み出したプログラムに従って、検査支援装置２００の各部を制御する。制御部２１０は、データ生成部、検査帳票作成部、表示画像取得部、第１付加画像追加部、および、第２付加画像追加部の一例であり、通信部２３０は、図面データ取得部および端末通信部の一例であり、表示部２４０または制御部２１０と表示部２４０との組み合わせは、表示部の一例であり、表示部２４０は、操作受付部の一例である。
【００３０】
検査システム用データ保管サーバ４００は、検査システム用データＤ１００を保管する装置である。検査システム用データ保管サーバ４００には、データ生成装置１００により生成された検査システム用データＤ１００が記憶される。
【００３１】
図２は、検査システム用データＤ１００のファイル構造を示す説明図である。検査システム用データＤ１００は、システムデータＤ１０１と個別現場データＤ１０２とを含む。システムデータＤ１０１は、個別現場データＤ１０２を管理するためのデータであり、検査対象となる全ての構造物に共通に用いられる。システムデータＤ１０１は、例えばアイコンＡＹ１（図５、図９参照）等の形状が等しく、互いに表示色の異なる複数のアイコンを含む複数種類のアイコンを表示するためのアイコン画像データＤ２０１を含む。
【００３２】
個別現場データＤ１０２は、構造物の建設現場毎に設定されるデータである。個別現場データＤ１０２は、例えば配筋検査や鉄骨ボルト検査等、建設中の構造物に対して実施される検査や、例えば仕上げ検査等、建設後の構造物に対して実施される検査などの検査の種類毎に設定される複数の検査種類別データＤ２０２を含む。各検査種類別データＤ２０２は、図面データＤ３０１と、地図情報データＤ３０２とを含む。図面データＤ３０１は、構造物の二次元図面（以下、単に「図面」という）を表すデータを表すデータであり、例えば構造物の各階の平面図や床伏図等である。地図情報データＤ３０２は、構造物の位置データＤ４０１と属性データＤ４０２とが互いに関連付けられたデータであり、例えばＳｈａｐｅ形式のデータである。具体的には、地図情報データＤ３０２は、位置データＤ４０１と、属性データＤ４０２と、対応関係データＤ４０３とを含む。
【００３３】
位置データＤ４０１は、構造物の各位置に対応する図面上の座標を示すデータである。位置データＤ４０１は、座標情報の一例である。属性データＤ４０２は、構造物の各位置の属性を示すデータであり、具体的には、ＩＤデータＤ５０１と、アイコンデータＤ５０２と、通芯データＤ５０３と、通芯識別データＤ５０４と、検査データＤ５０６と、画像データＤ５０７とを含む。属性データＤ４０２は、属性情報の一例である。
【００３４】
ＩＤデータＤ５０１は、属性データＤ４０２の識別番号を示すデータである。アイコンデータＤ５０２は、検査支援装置２００の表示部２４０にアイコンを表示するためのデータであり、例えば、システムデータＤ１０１に含まれるアイコン画像データＤ２０１により表示可能な複数種類のアイコンから特定の種類のアイコンを選出するデータが含まれる。通芯データＤ５０３は、検査支援装置２００の表示部２４０に構造物の通芯を表示するためのデータである。通芯識別データＤ５０４は、通芯を識別する通芯識別子を表示するためのデータである。検査データＤ５０６は、構造物の各位置における検査内容および検査結果を示すデータである。画像データＤ５０７は、画像および画像を縮小したサムネイル画像を示すデータであり、例えば検査支援装置２００の撮影部２５０によって生成される。識別番号、アイコン、通芯、通芯識別子、検査内容、検査結果、画像、およびサムネイル画像は、属性の一例である。
【００３５】
対応関係データＤ４０３は、属性データＤ４０２と位置データＤ４０１とを関連付けるデータである。つまり、属性データＤ４０２の示す特定の種類のアイコン（以下、単に「アイコン」という）や通芯等の属性は、対応関係データＤ４０３により、位置データＤ４０１の示す図面上の座標に関連付けられる。
【００３６】
検査支援装置２００の制御部２１０（図１）は、ＧＩＳ（Geographic Information System）表示機能を有しており、位置情報をキーにして、空間に関する情報と位置に関する情報を、重ね合わせて表示部２４０に表示させる機能を有している。具体的には、検査支援装置２００は、画像データＤ５０７に基づいて図面を表示するとともに、地図情報データＤ３０２に基づいて属性を表示する。同様に、データ生成装置１００の制御部１１０は、ＧＩＳ表示機能を有しており、データ生成装置１００は、画像データＤ５０７に基づいて図面を表示するとともに、地図情報データＤ３０２に基づいて属性を表示する。上述したように、アイコンや通芯等の属性は、図面上の座標に関連付けられている。そのため、アイコンや通芯等の属性は、表示部１５０、２４０に表示される際に、その属性に関連付けられた座標に対応する図面上の位置に重ねて表示される。
【００３７】
Ａ−２．検査支援処理：
次に、本実施形態の検査システム１０における検査支援処理の動作例を説明する。検査支援処理は、図面データＤ３０１を準備する図面準備処理と、準備された図面データＤ３０１に基づいて検査システム用データＤ１００を生成する支援準備処理と、生成された検査システム用データＤ１００に基づいて複数の検査支援装置２００の表示部２４０に構造物の図面や属性を表示し、各検査支援装置２００を利用する各検査員の検査を支援する支援実施処理と、検査後に検査帳票を作成する帳票作成処理とを含む。
【００３８】
（１）図面準備処理
図面準備処理は、検査支援装置２００（図１）により実施される。検査支援装置２００の制御部２１０は、表示部２４０を介した操作に応じてユーザからの図面データＤ３０１の準備指示を受け付けると、撮影部２５０を起動する。制御部２１０は、ユーザが撮影部２５０を用いて紙の図面を撮影することにより生成した画像データを、検査支援装置２００の記憶部２２０に記憶させる。制御部２１０は、画像データを記憶させる際に、ユーザから現場を特定する現場情報と、構造物のフロアを特定するフロア情報とを受け付け、これらの情報と画像データとを関連付ける。制御部２１０は、画像データを、現場情報により特定される現場の、フロア情報により特定されるフロアにおける図面データＤ３０１として取得する。制御部２１０は、現場毎、および、フロア毎に図面データＤ３０１を取得する。紙の図面は、二次元図面を表示するものの一例である。
【００３９】
図面データＤ３０１を取得した１つの検査支援装置２００の制御部２１０は、取得した図面データＤ３０１を他の検査支援装置２００に送信する。これにより、複数の検査支援装置２００において、同一の図面データＤ３０１が共有される。また、図面データＤ３０１を取得した１つの検査支援装置２００の制御部２１０は、検査システム用データ保管サーバ４００を介して、取得した図面データＤ３０１をデータ生成装置１００に送信する。データ生成装置１００の制御部１１０は、通信部１３０を介して図面データＤ３０１を取得し、記憶部１２０に記憶させる。
【００４０】
（２）支援準備処理
支援準備処理は、データ生成装置１００（図１）により実施される。データ生成装置１００の制御部１１０は、操作部１４０を介した操作に応じてユーザからの検査システム用データＤ１００の生成指示を受け付けると、通信部１３０を介して検査支援装置２００から検査対象となる構造物の図面データＤ３０１を取得し、図面データＤ３０１を用いて地図情報データＤ３０２を生成することにより、検査種類別データＤ２０２を生成する。
【００４１】
具体的には、データ生成装置１００の制御部１１０は、操作部１４０を介した操作に応じてユーザから入力される内容に従って、地図情報データＤ３０２を生成する。ユーザは、図面データＤ３０１に基づいて表示部１５０に表示された図面上の任意の点を座標原点に設定し、座標原点において直交する２つの座標軸を設定し、各座標軸方向における基準長さを設定する。ユーザは、設定した座標原点、座標軸、および基準長さを示すデータをデータ生成装置１００に入力する。制御部１１０は、ユーザが入力する座標原点、座標軸、および基準長さを示すデータを、図面データＤ３０１に関連付けて記憶させる。制御部１１０は、座標原点、座標軸、および基準長さを示すデータを基準として、位置データＤ４０１を生成する。
【００４２】
データ生成装置１００の制御部１１０は、属性データＤ４０２として通芯データＤ５０３と通芯識別データＤ５０４とを生成する。通芯については、ユーザは、図面上で通芯の座標を読み取り、通芯の座標を示すデータをデータ生成装置１００に入力する。制御部１１０は、通芯の座標を示すデータから位置データＤ４０１を生成する。ユーザは、通芯の幅や表示色を設定し、通芯の幅や表示色を示すデータをデータ生成装置１００に入力する。制御部１１０は、ユーザから入力されるデータから通芯データＤ５０３を生成する。
【００４３】
通芯識別子については、データ生成装置１００の制御部１１０は、通芯の座標に関連付けて通芯識別子の位置データＤ４０１を生成する。具体的には、制御部１１０は、通芯の位置データＤ４０１から選択された１の位置データＤ４０１を通芯識別子の位置データＤ４０１として生成する。ユーザは、通芯識別子の形状や表示色を設定し、通芯識別子の形状や表示色を示すデータをデータ生成装置１００に入力する。制御部１１０は、ユーザから入力されるデータから通芯識別データＤ５０４を生成する。なお、本実施形態では、データ生成装置１００の制御部１１０は、属性データＤ４０２としての検査データＤ５０６を生成しない。
【００４４】
検査支援装置２００の制御部２１０は、生成した位置データＤ４０１と属性データＤ４０２とを関連付ける対応関係データＤ４０３を生成し、位置データＤ４０１と、属性データＤ４０２と、対応関係データＤ４０３とを含む地図情報データＤ３０２を生成する。データ生成装置１００の制御部１１０は、地図情報データＤ３０２を生成すると、検査支援装置２００から取得した図面データＤ３０１と、生成した地図情報データＤ３０２とを含む検査種類別データＤ２０２を生成する。制御部１１０は、現場毎、フロア毎、および、各現場において実施される検査種類毎に検査種類別データＤ２０２を生成し、個別現場データＤ１０２を生成する。制御部１１０は、通信部１３０を介して生成した個別現場データＤ１０２を検査システム用データ保管サーバ４００に保管させる。
【００４５】
（３）支援実施処理
支援実施処理は、検査支援装置２００（図１）により実施される。以下では、支援実施処理の一例として、構造物の仕上げ検査を行う場合における動作例について説明する。検査支援装置２００の制御部２１０は、表示部２４０を介した操作に応じて検査者から検査開始の指示を受け付けると、支援実施処理を開始する。制御部２１０は、検査開始の指示に併せて、現場情報と、検査者を特定する検査者情報とを受け付ける。制御部２１０は、受け付けた現場情報に基づいて、通信部２３０を介して検査システム用データ保管サーバ４００から検査対象となる構造物の個別現場データＤ１０２を読み出し、記憶部２２０に記憶させる。つまり、制御部２１０は、通信部２３０を介して、検査システム用データ保管サーバ４００から図面データＤ３０１を含む個別現場データＤ１０２を取得する。記憶部２２０には、予めシステムデータＤ１０１が記憶されている。制御部２１０は、予め記憶されたシステムデータＤ１０１と、取得されえた個別現場データＤ１０２とにより検査システム用データＤ１００を取得する。
【００４６】
検査支援装置２００の制御部２１０は、支援実施処理を開始すると、検査者から入力される検査の種類を特定する検査種類情報とフロア情報とに基づいて、個別現場データＤ１０２に含まれる複数の検査種類別データＤ２０２から１の検査種類別データＤ２０２を選択する。制御部２１０は、選択した検査種類別データＤ２０２に含まれる図面データＤ３０１に基づいて、表示部２４０に構造物の図面３０（図３参照）を表示させる。
【００４７】
図３は、図面３０を表示する図面表示画面ＨＦの一例を示す説明図である。図面表示画面ＨＦは、ヘッダ領域ＨＵと、図面表示領域ＨＺと、を含む。ヘッダ領域ＨＵは、フロア情報に基づくフロア識別子（例えば、０５Ｆ）を表示する領域である。図面表示領域ＨＺは、図面３０を表示する領域である。
【００４８】
検査支援装置２００の制御部２１０は、図面３０の表示倍率と表示位置とを変更可能である。具体的には、制御部２１０は、表示部２４０を介した操作に応じて図面３０を任意の倍率に拡大・縮小して表示させ、または、図面３０をスクロールして表示させることが可能である。図３では、図面３０の一部が拡大されて表示されている。
【００４９】
本実施形態では、紙の図面を撮影して生成された図面データＤ３０１に基づいて図面３０が表示される。そのため、図面３０上には、紙の図面において着色された部分に対応した着色領域ＡＸ（ＡＸ１、ＡＸ２）が表示される。
【００５０】
図３に示すように、検査支援装置２００の制御部２１０は、表示部２４０に図面３０を表示させるとともに、ＧＩＳ表示機能により、地図情報データＤ３０２に基づいて属性を表示させる。具体的には、制御部２１０は、通芯データＤ５０３に基づいて通芯ＡＳ（ＡＳ１〜ＡＳ７）を表示させ、通芯識別データＤ５０４に基づいて通芯識別子ＡＭ（ＡＭ１〜ＡＭ７）を表示させる。
【００５１】
検査支援装置２００の制御部２１０は、通芯データＤ５０３に基づいて、通芯ＡＳを、通芯ＡＳに関連付けられた図面３０上の座標に対応する位置に表示させる。そのため、制御部２１０は、図面３０の表示倍率が変更されたことに応じて、通芯ＡＳの表示状態を更新する。具体的には、制御部２１０は、図面３０が拡大または縮小された場合には、その拡大または縮小に追従させて、通芯ＡＳが表示される位置を更新する。また、通芯識別子ＡＭは、対応する通芯ＡＳの座標に対応する位置に関連付けられている。そのため、制御部２１０は、図面３０の表示倍率が変更されたことに応じて、通芯識別子ＡＭの表示状態を更新する。本実施形態では、通芯識別子ＡＭは、対応する通芯ＡＳが表示部２４０の外周部と交差する位置のいずれか一方の周囲に表示される。
【００５２】
また、表示部２４０は、図面３０上に現在位置マークＡＺを表示する。検査支援装置２００の制御部２１０は、地磁気センサ２６０とＧＰＳ受信部２７０とから、撮影部２５０の向きを特定する情報と検査支援装置２００の現在位置を特定する情報とを取得し、これらの情報を図面３０上における向きと位置とを示す情報に変換する。表示部２４０は、変換した向きと位置とを示す情報に基づいて現在位置マークＡＺを表示する。検査者は、現在位置マークＡＺを利用して検査者の現在地に対応する図面３０上の位置を把握することができる。
【００５３】
検査者は、構造物において不備を検出した場合、表示部２４０の不備に相当する位置を指定してタップする。検査者は、検査者の現在地において不備を検出したときは、現在位置マークＡＺが示す位置をタップすればよい。検査支援装置２００の制御部２１０は、表示部２４０を介した操作に応じて図面表示領域ＨＺの任意の位置（以下、「指定位置」という）へのタップを受け付けたことに応じて、表示部２４０に検査画面ＨＳを表示させる。
【００５４】
図４は、検査画面ＨＳの一例を示す説明図である。検査画面ＨＳは、指定位置における地図情報データを生成するための画面であり、指定位置における検査内容および検査結果を表示するための画面を兼ねる。図４は、不備の検出時における検査画面ＨＳの一例を示す説明図である。検査画面ＨＳは、前述したヘッダ領域ＨＵに加え、状態表示領域ＨＴと、是正区分表示領ＨＫと、是正内容表示領域ＨＣと、画像取得領域ＨＰと、機能表示領域ＨＤと、を含む。
【００５５】
状態表示領域ＨＴは、検査画面ＨＳが編集されている編集状態であることを表示する領域である。是正区分表示領ＨＫは、検査結果を表示する領域であり、アイコンを表示するアイコン表示欄ＨＫ１と、検査結果を入力する検査結果入力欄ＨＫ２と、を表示する領域である。アイコン表示欄ＨＫ１に表示されるアイコンは、予め定められた形状のアイコンであり、検査結果入力欄ＨＫ２に入力される検査結果により表示色が決定される。例えば、検査結果入力欄ＨＫ２に入力される検査結果が「合格」であると、表示色は緑色となり、検査結果入力欄ＨＫ２に入力される検査結果が「不合格」であると、表示色は赤色となる。検査結果入力欄ＨＫ２には、「合格」、「不合格」が記載されたマルチウインドウ（不図示）が関連付けられている。検査者は、検査結果入力欄ＨＫ２に検査結果を入力するときは、検査結果入力欄ＨＫ２をタップし、表示されるマルチウインドウから検査結果を指定することで、検査結果を入力する。
【００５６】
是正内容表示領域ＨＣは、是正に関する諸事項を入力するための領域であり、具体的には、是正に関する各項目を表示する項目表示欄ＨＣ１と、各項目に対する内容を入力可能な項目内容記載欄ＨＣ２とを表示する領域である。検査者は、表示部２４０を介した操作により、項目表示欄ＨＣ１の各項目に対応する内容を項目内容記載欄ＨＣ２に入力する。
【００５７】
画像取得領域ＨＰは、検査結果としての画像を取得するための領域であり、具体的には、指摘画像表示欄ＨＰ１と、指摘画像取得用アイコンＨＰ２と、合格画像表示欄ＨＰ３と、合格画像取得用アイコンＨＰ４とを表示する領域である。指摘画像表示欄ＨＰ１は、指定位置における不備が是正される前の状態（以下、「不備状態」という）において撮影された画像である指摘画像のサムネイル画像を表示する欄である。指摘画像取得用アイコンＨＰ２は、指摘画像を表す画像データの取得を指示するためのアイコンである。合格画像表示欄ＨＰ３は、指定位置における不備が是正された後の状態（以下、「是正状態」という）において撮影された画像である合格画像のサムネイル画像を表示する欄である。合格画像取得用アイコンＨＰ４は、合格画像を表す画像データの取得を指示するためのアイコンである。
【００５８】
指摘画像取得用アイコンＨＰ２および合格画像取得用アイコンＨＰ４には、「撮影部２５０で撮影する」内容と、「記憶部２２０から選択する」内容とが記載されたマルチウインドウ（不図示）が関連付けられている。検査支援装置２００の制御部２１０は、検査者により「撮影部２５０で撮影する」内容が選択されると、撮影部２５０を起動し、検査者が撮影部２５０を用いて指定位置に位置する被写体を撮影することにより生成された画像データを取得する。また、制御部２１０は、検査者により「記憶部２２０から選択する」内容が選択されると、検査システム用データＤ１００とは別に記憶部２２０に記憶されている画像データを、指定位置に対応する画像データとして取得する。
【００５９】
機能表示領域ＨＤは、保存アイコンＨＤ１と、戻るアイコンＨＤ２とを表示する領域である。戻るアイコンＨＤ２は、是正区分表示領ＨＫと、是正内容表示領域ＨＣと、画像取得領域ＨＰとに入力された内容を、入力前の内容に戻すことを指示するためのアイコンである。保存アイコンＨＤ１は、是正区分表示領ＨＫと是正内容表示領域ＨＣと画像取得領域ＨＰとに入力された内容の保存を指示するためのアイコンである。検査支援装置２００の制御部２１０は、指定位置に地図情報データＤ３０２が生成されていない状態で保存アイコンＨＤ１へのタップを受け付けると、位置データＤ４０１と属性データＤ４０２と対応関係データＤ４０３とを生成することにより、地図情報データＤ３０２を生成する。
【００６０】
具体的には、検査支援装置２００の制御部２１０は、図面３０上の指定位置に対応する座標を読み取り、読み取った座標を示す位置データＤ４０１を生成する。制御部２１０は、検査画面ＨＳに入力された内容から指定位置の属性を示す属性データＤ４０２を生成し、詳細には、ＩＤデータＤ５０１と、アイコンデータＤ５０２と、検査データＤ５０６とを生成する。制御部２１０は、構造物において指定位置が指定された順番（例えば、１番目）に基づいて識別番号（例えば、１）を設定し、識別番号を示すＩＤデータＤ５０１を生成する。また、制御部２１０は、検査画面ＨＳのアイコン表示欄ＨＫ１に表示されたアイコンに基づいてアイコンデータＤ５０２を生成する。さらに、制御部２１０は、検査画面ＨＳの是正区分表示領ＨＫと是正内容表示領域ＨＣとに入力された内容に基づいて検査データＤ５０６を生成する。
【００６１】
検査支援装置２００の制御部２１０は、生成した位置データＤ４０１と属性データＤ４０２とを関連付ける対応関係データＤ４０３を生成し、指定位置における地図情報データＤ３０２を生成する。これにより、指定位置に検査位置が設定され、図５に示すように、表示部２４０の表示が検査画面ＨＳから図面表示画面ＨＦに切り替えられると、指定位置における地図情報データＤ３０２に基づいて、検査画面ＨＳのアイコン表示欄ＨＫ１に表示されたアイコンと同一のアイコンＡＹ１が、図面３０上の指定位置に表示される。
【００６２】
指定位置における地図情報データＤ３０２を生成後、指摘画像ＰＨ１（図７参照）の画像データが取得される。検査支援装置２００の制御部２１０は、図面表示画面ＨＦ（図５）に表示されたアイコンＡＹ１へのタップを受け付けたことに応じて、アイコンＡＹ１に対応する検査画面ＨＳを表示部２４０に表示させ、検査画面ＨＳ（図４）に表示された指摘画像取得用アイコンＨＰ２へのタップを受け付けたことに応じて、指摘画像ＰＨ１の画像データが取得される。制御部２１０は、取得された指摘画像ＰＨ１の画像データを、指定位置に対応する地図情報データＤ３０２の画像データＤ５０７として記憶部２２０に記憶させる。
【００６３】
図６は、指摘画像ＰＨ１の画像データを取得した後の検査画面ＨＳの一例を示す説明図である。検査支援装置２００の制御部２１０は、指摘画像ＰＨ１の画像データＤ５０７に基づいて、表示部２４０に指摘画像ＰＨ１のサムネイル画像ＨＰ５を表示させる。これにより、画像取得領域ＨＰの指摘画像表示欄ＨＰ１に、指摘画像ＰＨ１のサムネイル画像ＨＰ５が表示される。すなわち、表示部２４０には、指定位置における検査結果とともにサムネイル画像ＨＰ５が表示される。検査結果は、他の種類の属性の一例である。制御部２１０は、表示部２４０を介した操作に応じて指摘画像表示欄ＨＰ１に表示されたサムネイル画像ＨＰ５へのタップを受け付けると、サムネイル画像ＨＰ５に対応する指摘画像ＰＨ１を表示部２４０に表示させる。
【００６４】
図７は、指摘画像ＰＨ１の表示画面の一例を示す説明図である。表示画面には、指摘画像ＰＨ１の他に、指摘画像ＰＨ１に文字や記号などの指示画像の追加を指示する追加アイコンＡＴ１と、指摘画像ＰＨ１の削除を指示する削除アイコンＡＴ２とが含まれる。指示画像は、第２の付加画像の一例である。検査支援装置２００の制御部２１０は、表示部２４０を介した操作に応じて追加アイコンＡＴ１へのタップを受け付けると、検査者の表示部２４０を介した操作に基づいて指示画像を追加する。具体的には、検査者が指摘画像ＰＨ１上に矢印画像ＴＫ１を記載すると、制御部２１０は、その矢印画像ＴＫ１を示す指示画像を追加する。また、検査者が指摘画像ＰＨ１上に文字画像ＴＫ２を入力すると、制御部２１０は、その文字画像ＴＫ２を示す指示画像を追加する。制御部２１０は、指示画像の追加を終了すると、指示画像が追加された指摘画像ＰＨ１を上書きして保存する（図８参照）。そのため、次回以降に表示部２４０に指摘画像ＰＨ１が表示される場合には、指示画像が追加された後の指摘画像ＰＨ１が表示される。
【００６５】
データ生成装置１００の制御部１１０は、検査支援装置２００の表示部２４０を介した操作に応じて、指定位置における地図情報データＤ３０２が生成されると、通信部１３０を介して検査支援装置２００から地図情報データＤ３０２を受信する。具体的には、検査支援装置２００の制御部２１０は、指定位置における地図情報データＤ３０２が生成された後に、表示部２４０を介した操作に応じて検査システム用データ保管サーバ４００との同期指示を受け取ると、検査システム用データ保管サーバ４００と同期し、指定位置における地図情報データＤ３０２を検査システム用データ保管サーバ４００に送信して保管させる。制御部１１０は、一定期間毎に検査システム用データ保管サーバ４００から地図情報データＤ３０２を読み出しており、これにより、指定位置における地図情報データＤ３０２を受信する。
【００６６】
図１１は、表示部１５０に表示された図面３０を表示する図面表示画面ＨＦの一例を示す説明図である。上述したように、データ生成装置１００の制御部１１０は、ＧＩＳ表示機能を有しており、制御部１１０は、表示部１５０に図面３０を表示させるとともに、地図情報データＤ３０２に基づいて、二次元図面上の指定位置に、例えばアイコンＡＹ１等の属性を表示させる。図１１では、データ生成装置１００は、図面表示画面ＨＦに図面３０の一部が拡大されて表示された状態において、アイコンＡＹ１等を表示させている。
【００６７】
データ生成装置１００の制御部１１０は、各検査支援装置２００が生成した指定位置における地図情報データＤ３０２を、一定期間毎に検査システム用データ保管サーバ４００を介して一括して受信し、上記の処理を実施する。そのため、表示部１５０には、複数の検査支援装置２００から集計された指定位置におけるアイコンが同時に表示される。具体的には、表示部１５０には、図５に示されるアイコンＡＹ１が表示されるとともに、他の検査支援装置２００により生成された地図情報データＤ３０２に基づいて、アイコンＡＹ２が表示される。制御部１１０は、各検査支援装置２００において生成された指定位置における地図情報データＤ３０２を反映させるように個別現場データＤ１０２を更新し、更新された個別現場データＤ１０２を検査システム用データ保管サーバ４００に保管させる。更新された個別現場データＤ１０２は、検査支援装置２００と検査システム用データ保管サーバ４００との同期により各検査支援装置２００に読み出され、各検査支援装置２００における検査システム用データＤ１００が更新される。
【００６８】
指摘画像ＰＨ１の画像データＤ５０７の取得後、構造物に是正工事を行う是正業者により是正工事が行われる。是正工事は、検査画面ＨＳに表示された特定の是正業者により行われる。是正業者は、指定位置における検査画面ＨＳの是正内容表示領域ＨＣに表示された内容から、指摘項目と指摘内容と指示とを理解することができる。また、是正業者は、画像取得領域ＨＰの指摘画像表示欄ＨＰ１に表示されたサムネイル画像ＨＰ５、およびサムネイル画像ＨＰ５に追加された矢印画像ＴＫ１や文字画像ＴＫ２により、詳細な指摘内容を理解することができる。是正業者による是正工事後、検査者は構造物の指定位置に対する再検査を実施する。以下、再検査を実施する検査者を、確認者と呼ぶ。
【００６９】
図８は、再検査が実施された後の検査画面ＨＳの一例を示す説明図である。再検査では、是正画像の画像データが取得される。検査支援装置２００の制御部２１０は、検査画面ＨＳに表示された合格画像取得用アイコンＨＰ４へのタップを受け付けたことに応じて、合格画像ＰＨ２（図１０参照）の画像データが取得される。確認者は、指摘画像ＰＨ１のサムネイル画像ＨＰ５を参照して、是正画像を指摘画像ＰＨ１に似せて撮影することができる。制御部２１０は、取得された是正画像の画像データを、指定位置に対応する地図情報データＤ３０２の画像データＤ５０７として記憶部２２０に記憶させる。つまり、制御部２１０は、１つの指定位置に対応する図面３０上の１つの座標に、属性としての指摘画像ＰＨ１と是正画像との両方の画像を関連付けることができる。
【００７０】
検査支援装置２００の制御部２１０は、指摘画像ＰＨ１の画像データに基づいて、表示部２４０に指摘画像ＰＨ１のサムネイル画像ＨＰ５を表示させるとともに、合格画像ＰＨ２の画像データに基づいて、是正画像のサムネイル画像ＨＰ６を表示させる。本実施形態では、是正工事において、指定位置の不備が解消したものとする。そのため、是正区分表示領ＨＫの検査結果入力欄ＨＫ２の入力が、「不合格」から「合格」に更新され、アイコン表示欄ＨＫ１のアイコンの表示色が青色に更新される。そのため、図９に示すように、表示部２４０の表示を、検査画面ＨＳから図面表示画面ＨＦに切り替えると、図面３０上の指定位置に表示されるアイコンＡＹ１の表示色が青色に更新される。すなわち、是正区分表示領ＨＫの検査結果入力欄ＨＫ２の内容に応じて、制御部２１０は指定位置における地図情報データＤ３０２のアイコンデータＤ５０２を更新し、図面３０上の指定位置に表示されるアイコンＡＹ１の種類、詳細にはアイコンＡＹ１の表示色を青色に切り替える。なお、図８のサムネイル画像ＨＰ６に示すように、是正画像にも指定位置の不備が解消したことを示す指示画像が追加されていてもよい。
【００７１】
検査支援装置２００の制御部２１０は、表示部２４０に表示された指定位置の検査画面ＨＳのうちの検査結果入力欄ＨＫ２の入力が「不合格」から「合格」に更新されると、表示部２４０を介した操作に応じて、指定位置における地図情報データＤ３０２をデータ生成装置１００に送信する。データ生成装置１００の制御部１１０は、通信部１３０を介して指定位置における地図情報データＤ３０２を受信すると、指定位置における地図情報データＤ３０２を更新する。これにより、表示部１５０に表示された図面３０上の指定位置におけるアイコンＡＹ１の表示色が赤色から青色に切り替えられる。
【００７２】
（４）帳票作成処理
帳票作成処理は、検査支援装置２００（図１）により実施される。検査支援装置２００の制御部２１０は、表示部２４０を介した操作に応じて確認者から検査帳票ＣＨ（図１０参照）を表す検査帳票データの作成指示を受け付けると、帳票作成処理を実施する。制御部２１０は、検査種類別データＤ２０２に基づいて検査帳票データを作成する。図１０は、検査帳票ＣＨの一例を示す説明図である。検査帳票ＣＨには、目次欄ＣＭと、結果表示欄ＣＹと、図面表示欄ＣＧと、指定位置表示欄ＣＩとを含む。
【００７３】
目次欄ＣＭは、現場情報に基づく現場識別子（例えば、○○建物）と、フロア情報に基づくフロア識別子（例えば、０５Ｆ）と、検査種類情報に基づく検査識別子（例えば、仕上げ検査）と、検査結果を示す表示（例えば、合格（完了））とを表示する欄である。結果表示欄ＣＹは、主に是正に関する各項目を表示する欄であり、例えばＩＤデータＤ５０１に基づく識別番号（例えば、１）や検査データＤ５０６に基づく指摘項目、指摘内容等を表示する欄である。図面表示欄ＣＧは、画像データＤ５０７に基づく画像を表示する欄であり、具体的には指摘画像ＰＨ１と合格画像ＰＨ２とを表示する欄である。
【００７４】
指定位置表示欄ＣＩは、図面３０の表示画像ＰＨ３を表示する欄である。制御部２１０は、表示部２４０を介した操作に応じて表示部２４０に表示された図面３０の表示画像ＰＨ３を取得可能である。制御部２１０は、確認者の操作により指定位置を含む範囲の表示画像ＰＨ３を取得すると、表示画像ＰＨ３上の指定位置に対応する領域ＴＲ、すなわちアイコンＡＹ１が表示された領域ＴＲに、指定位置を識別する識別画像ＴＫ３を追加する。識別画像は、第１の付加画像の一例である。制御部２１０は、識別画像ＴＫ３の追加を終了すると、識別画像ＴＫ３が追加された表示画像ＰＨ３を上書きし、指定位置表示欄ＣＩに貼り付ける。
【００７５】
以上説明したように、本実施形態では、検査者は、構造物の任意の位置で検査を行い、構造物において不備を検出した場合、表示部２４０を介した操作に応じて、表示部２４０の不備に相当する位置を指定してタップする。本実施形態の検査支援装置２００では、タップを受け付けたことに応じて、タップにより指定された指定位置の地図情報データＤ３０２を生成する。地図情報データＤ３０２では、指定位置に対応する座標に属性が関連付けられており、属性は検査結果を含む。そのため、検査者は、指定位置に対応する座標を示す座標情報と、検査結果を含む属性情報とが関連付けられた地図情報データＤ３０２を、データ生成装置１００により生成することができる。これにより、検査者は、従来技術のように、データ生成装置１００による検査位置や検査結果の設定を待つことなく検査を行うことができ、利便性を向上させることができる。
【００７６】
属性は、表示部２４０を介した操作に応じて取得されるので、例えば検査者が実施した検査の検査結果を反映した地図情報データＤ３０２を生成することができる。
【００７７】
また、本実施形態の検査支援装置２００では、表示部２４０は、図面データＤ３０１に基づいて構造物の図面３０を表示するとともに、地図情報データＤ３０２に基づいて属性を表示する。そのため、表示部２４０に図面３０のみを表示させたいときは、図面データＤ３０１に基づいて図面３０のみを表示させ、表示部２４０に属性のみを表示させたいときは、地図情報データＤ３０２に基づいて属性のみを表示させ、表示部２４０に図面３０と属性との両方を表示させたいときは、図面データＤ３０１および地図情報データＤ３０２に基づいて図面３０と属性との両方を表示させることができる。これにより、表示部２４０に図面３０や属性を表示するときの利便性を向上させることができる。
【００７８】
属性は、図面３０上の指定位置に対応する座標に関連付けられており、表示部２４０に図面３０とともに表示される属性は、図面３０上の指定位置に表示され、具体的には、属性としてのアイコンＡＹ１が、図面３０上の指定位置に表示される。そのため、図面３０上のどの位置に属性が関連付けられているかを容易に把握することができる。また、ユーザは、表示部２４０に表示されたアイコンＡＹ１をタップすることで、選択されたアイコンＡＹ１が表示された指定位置における検査結果を確認することができる。
【００７９】
また、本実施形態の検査支援装置２００では、検査者から入力された指定位置における検査結果により、指定位置に表示されるにおけるアイコンＡＹ１の種類、詳細にはアイコンＡＹ１の表示色を切り替える。そのため、検査者あるいは確認者は、表示部２４０に表示されるアイコンの表示色により、アイコンＡＹ１をタップしてアイコンＡＹ１が表示された指定位置における検査結果を表示することなく、指定位置における検査結果を確認することができ、利便性を向上させることができる。
【００８０】
また、本実施形態の検査支援装置２００では、ユーザが撮影部２５０を用いて紙の図面を撮影することにより生成した画像データを、図面データＤ３０１として取得するので、例えばユーザが構造物の設計データを持っておらず、紙などに出力された二次元図面のみを持っているときでも、図面データＤ３０１を取得することができる。また、構造物の設計データを持っていても、それを印刷したものに、メモや色分け等をしたものをベースに検査したい場合に、メモや色分け等をしたものを撮影することにより図面データＤ３０１を取得することができ、利便性を向上させることができる。
【００８１】
また、本実施形態の検査支援装置２００では、表示部２４０を介した操作に応じて検査支援装置２００の制御部２１０が検査帳票ＣＨを表す検査帳票データを作成するので、ユーザは、自ら検査帳票情報を作成する必要がなく、利便性を向上させることができる。
【００８２】
検査帳票ＣＨは、構造物において検出された不備の検査結果を含むため、検査帳票ＣＨにより構造物において検出された不備を確認することができる。また、検査帳票ＣＨには、指定位置に位置する被写体の画像が含まれるため、検査帳票ＣＨにより構造物において検出された不備を、視覚的に確認することができる。
【００８３】
さらに、検査帳票ＣＨには、表示部２４０に指定位置が表示された状態の図面３０の表示画像ＰＨ３が含まれるため、検査帳票ＣＨにより構造物において不備が検出された図面３０上の指定位置を確認することができる。特に、表示画像ＰＨ３には、表示画像ＰＨ３上の指定位置に対応する領域ＴＲ、すなわちアイコンＡＹ１が表示された領域ＴＲに、指定位置を識別する識別画像ＴＫ３が追加されているので、識別画像ＴＫ３が追加されていない場合に比べて、図面３０上の指定位置を容易に確認することができる。
【００８４】
また、本実施形態の検査支援装置２００では、撮影部２５０等で撮影された画像が図面３０上の座標に関連付けられるので、図面３０上の各位置に対応させて、画像を保持することができる。特に、本実施形態の検査支援装置２００では、図面３０上の１つの座標に、複数の画像を関連付けることができるので、図面３０上の各位置に対応させて、例えば是正工事前の指摘画像ＰＨ１と是正工事後の合格画像ＰＨ２を保持することができ、あるいは、同じ被写体を異なる角度から複数回撮影することができ、利便性を向上させることができる。
【００８５】
また、本実施形態の検査支援装置２００では、属性にサムネイル画像が含まれ、検査画面ＨＳにおいて、他の属性である検査結果とともに表示される。そのため、検査者は、表示部２４０に表示されるサムネイル画像により、どのような画像が撮影されているかを確認することができるとともに、検査内容や検査結果と撮影された画像との関係、例えば、検査結果と撮影された画像とが対応するものであるか否かを確認することができる。また、ユーザは、表示部２４０に表示されたサムネイル画像をタップすることで、選択されたサムネイル画像に対応する画像を詳細に確認することができる。
【００８６】
また、本実施形態の検査支援装置２００では、表示部２４０に表示された画像に指示画像を追加することができるので、例えば指摘画像ＰＨ１に含まれる不備部分の周囲に指示画像を追加しておくことで、指示画像を追加しない場合に比べて、図面を利用して修正者などの他人に不備の内容を容易に伝達することができる。
【００８７】
また、本実施形態では、データ生成装置１００の制御部１１０は、通信部１３０が検査支援装置２００から指定位置の地図情報データＤ３０２を受信したことに応じて、表示部１５０に表示された二次元図面上の指定位置にアイコンＡＹ１を表示する。これにより、データ生成装置１００を使用する管理者は、表示部１５０に表示されるアイコンＡＹ１により、検査支援装置２００で指定された指定位置を把握することができ、利便性を向上させることができる。
【００８８】
また、本実施形態では、データ生成装置１００の制御部１１０は、複数の検査支援装置２００のそれぞれから指定位置の地図情報データＤ３０２を受信し、表示部１５０に表示する。そのため、データ生成装置１００を使用する管理者は、例えば複数の検査者が複数の検査支援装置２００を用いて同時に実施する検査の進行状況および検査結果をまとめて把握することができ、利便性を向上させることができる。
【００８９】
Ｂ．変形例：
本明細書で開示される技術は、上述の実施形態に限られるものではなく、その要旨を逸脱しない範囲において種々の形態に変形することができ、例えば次のような変形も可能である。
【００９０】
上記実施形態では、構造物の図面として二次元図面のみを用いる例を示したが、二次元図面と三次元図面とを用いてもよい。すなわち、検査支援装置２００の表示部２４０に、構造物の三次元図面と二次元図面とが切替可能に表示されており、ユーザが必要に応じて検査支援装置２００の表示部２４０に構造物の二次元図面を表示させ、上記の検査支援処理を実施させてもよい。
【００９１】
上記実施形態では、検査システム１０は、データ生成装置１００と、検査支援装置２００とに加えて、検査システム用データ保管サーバ４００とを備える例を示したが、これに限られない。例えば、検査システム用データＤ１００が、データ生成装置１００から検査支援装置２００に送信され、検査支援装置２００により受信される場合には、検査システム用データ保管サーバ４００は必ずしも必要ではない。
【００９２】
上記実施形態では、データ生成装置１００は、検査に用いられる図面データＤ３０１を、撮影部２５０を用いた撮影により生成する例を示したが、これに限られない。例えば、検査システム１０が、図面データＤ３０１を保管する専用サーバを備えており、データ生成装置１００が、この専用サーバから図面データＤ３０１を取得してもよい。なお、検査システム用データ保管サーバ４００が、図面データＤ３０１を保管する専用サーバを兼ねてもよい。
【００９３】
上記実施形態では、検査支援装置２００の表示部２４０が、操作受付部を兼ねている例を示したが、検査支援装置２００は、表示部２４０とは別に操作受付部を備えていてもよい。
【００９４】
上記実施形態では、構造物の各位置の属性としてアイコンや検査結果等を挙げて説明したが、属性は上記の例に限られない。属性は、検査結果を含むものの、上記の例の検査結果以外の例を含まなくてもよい。例えば、アイコンは、必ずしも表示される必要はなく、図面３０上の指定位置近傍がタップされることで、指定位置における検査結果が表示部２４０に表示されるようにしてもよい。なお、検査結果とは、検査画面ＨＳの検査結果入力欄ＨＫ２に入力される内容の他、検査画面ＨＳの項目表示欄ＨＣ１における指摘事項、指摘内容、および、指示の項目に対して入力された項目内容記載欄ＨＣ２の内容をも含む。さらに、図面では、必ずしも構造物の各位置に複数の図面が関連付けられている必要はなく、１つの図面が関連付けられていてもよければ、図面が関連付けられていなくてもよい。
【００９５】
上記実施形態では、表示部２４０に属性を表示するときに、属性としてのアイコンが、図面３０上の指定位置に表示される例を示した。ここで、「指定位置に表示」とは、指定位置に表示されることのみを示すのではなく、引き出し線等により指定位置に関連付けられた位置に表示されることをも含む。
【００９６】
上記実施形態では、検査者から入力された指定位置における検査結果により、指定位置に表示されるにおけるアイコンＡＹ１を、形状が等しく、表示色を切り替える例を示したが、これに限られない。例えば、例えば表示色が等しく、互いに形状の異なるアイコンに切り替えられてもよければ、形状および表示色の異なるアイコンに切り替えられてもよい。
【００９７】
上記実施形態では、指定位置の検査帳票ＣＨがデータ生成装置１００により作成される例を示したが、これに限られず、検査支援装置２００により実施されてもよい。また、指定位置の検査帳票ＣＨに記載される内容として検査結果や指定位置に位置する被写体の画像等を挙げて説明したが、検査帳票ＣＨに記載される内容は上記の例に限られない。検査帳票ＣＨに記載される内容は、検査結果を含むものの、上記の例の検査結果以外の例を含まなくてもよい。例えば、指定位置に位置する被写体の画像は、必ずしも検査帳票ＣＨに記載される必要はなく、また、表示部２４０に指定位置が表示された状態の図面３０の表示画像ＰＨ３も、必ずしも検査帳票ＣＨに記載される必要はない。
【００９８】
上記実施形態では、表示部２４０にサムネイル画像を表示するときに、サムネイル画像が検査結果とともに表示される例を示したが、これに限られず、サムネイル画像が図面３０とともに表示されるようにしてもよい。また、サムネイル画像が、検査結果とともに表示され、かつ、図面３０とともに表示されるようにしてもよい。
【００９９】
上記実施形態では、指示画像を追加された指摘画像ＰＨ１が上書き保存される例を示した。つまり、追加された付加画像が指摘画像ＰＨ１と一体として保存される例を示した。しかし、これに限られず、追加された付加画像が指摘画像ＰＨ１とは別に保存されてもよい。同様に、上記実施形態では、識別画像ＴＫ３を追加された表示画像ＰＨ３が上書き保存される例を示した。つまり、追加された識別画像ＴＫ３が表示画像ＰＨ３と一体として保存される例を示した。しかし、これに限られず、追加された識別画像ＴＫ３が表示画像ＰＨ３とは別に保存されてもよい。
【０１００】
上記実施形態では、検査支援装置２００の表示部２４０に現在位置マークＡＺを表示する例を示したが、現在位置マークＡＺはかならずしも表示される必要はない。また、上記実施形態では、現在位置マークＡＺを表示するために、地磁気センサ２６０とＧＰＳ受信部２７０とを用いる例を示したが、これに限られず、他の手法により現在位置マークＡＺが表示されてもよい。
【符号の説明】
【０１０１】
１０：検査システム  ３０：二次元図面  １００：データ生成装置  ２００：検査支援装置  ２１０：制御部  ２２０：記憶部  ２３０：通信部  ２４０：表示部  ２５０：撮影部  ４００：検査システム用データ保管サーバ  ＡＭ：通芯識別子  ＡＳ：通芯  ＡＹ１：アイコン  Ｄ１００：検査システム用データ  Ｄ２０２：検査種類別データ  Ｄ３０１：図面データ  Ｄ３０２：地図情報データ  Ｄ４０１：位置データ  Ｄ４０２：属性データ  Ｄ５０６：検査データ  Ｄ５０７：画像データ  ＨＰ５、ＨＰ６：サムネイル画像
【図１】
2020074167.tif 000003
【図２】
2020074167.tif 000004
【図３】
2020074167.tif 000005
【図４】
2020074167.tif 000006
【図５】
2020074167.tif 000007
【図６】
2020074167.tif 000008
【図７】
2020074167.tif 000009
【図８】
2020074167.tif 000010
【図９】
2020074167.tif 000011
【図１０】
2020074167.tif 000012
【図１１】
2020074167.tif 000013